(57)【要約】【課題】皮膚弾性に応じた適切な光照射美容を行う。【解決手段】肌の美容のための光を皮膚に対して照射する光源部２と、光源部２からの光が照射される皮膚の弾性を検出する皮膚弾性検知手段３と、皮膚弾性検知手段で得られた皮膚弾性データに基づいて光源部の光出力を制御する制御手段４とを備える。皮膚弾性に応じた光照射がなされる。【選択図】図１
2009028269.tif 000002
【特許請求の範囲】
【請求項１】
肌の美容のための光を皮膚に対して照射する光源部と、光源部からの光が照射される皮膚の弾性を検出する皮膚弾性検知手段と、皮膚弾性検知手段で得られた皮膚弾性データに基づいて光源部の光出力を制御する制御手段とを備えていることを特徴とする光照射美容器具。
【請求項２】
皮膚弾性検知手段は皮膚に振動を加える超音波振動子と、皮膚に接触して皮膚の振動周波数を測定する振動測定部と、得られた振動周波数の変化から皮膚弾性を算出する演算部とからなるものであることを特徴とする請求項１記載の光照射美容器具。
【請求項３】
制御手段は皮膚弾性検知手段の出力から皮膚弾性検知手段が皮膚に接触しているか否かを判断して接触していないと判断された時に光源部からの光出力を停止させるものであることを特徴とする請求項１または２記載の光照射美容器具。
【発明の詳細な説明】
【技術分野】
【０００１】
本発明は、肌の美容のために肌に対して光を照射する光照射美容器具に関するものである。
【背景技術】
【０００２】
光を照射することで肌の美容を図る光照射美容器具には、照射する光としてレーザー光を用いるもの、低出力の非コヒーレント光を用いるもの等、各種存在しているが、この光照射に際し、皮膚の色を検出して肌の色に応じて光照射時間を制御するもの（特許文献１）があるとともに、皮膚表面の電磁波に対応するインレット信号によって光照射をフィードバック制御するもの（特許文献２）がある。
【０００３】
しかし、前者においては光照射中の皮膚の状態変化に応じた光照射制御を行うことができないという問題を有している。また、後者においてはフィードバック制御がなされるとはいえ、光照射による皮膚弾性の変化をフィードバックすることはできない。
【特許文献１】特開平５−１４６５１７号公報
【特許文献２】特開平９−２８５５２０号公報
【発明の開示】
【発明が解決しようとする課題】
【０００４】
本発明は上記の従来の問題点に鑑みて発明したものであって、皮膚弾性の変化をフィードバックすることができて、皮膚の状態に応じた適切な光照射美容を行うことができる光照射美容器具を提供することを課題とするものである。
【課題を解決するための手段】
【０００５】
上記課題を解決するために本発明に係る光照射美容器具は、肌の美容のための光を皮膚に対して照射する光源部と、光源部からの光が照射される皮膚の弾性を検出する皮膚弾性検知手段と、皮膚弾性検知手段で得られた皮膚弾性データに基づいて光源部の光出力を制御する制御手段とを備えていることに特徴を有している。皮膚弾性に応じた光照射がなされるものである。
【０００６】
皮膚弾性検知手段は皮膚に振動を加える超音波振動子と、皮膚に接触して皮膚の振動周波数を測定する振動測定部と、得られた振動周波数の変化から皮膚弾性を算出する演算部とからなるものを好適に用いることができる。
【０００７】
また、制御手段は皮膚弾性検知手段の出力から皮膚弾性検知手段が皮膚に接触しているか否かを判断して接触していないと判断された時に光源部からの光出力を停止させるものが好ましい。
【発明の効果】
【０００８】
本発明は、光照射による皮膚弾性変化に応じて光照射が制御されるために、皮膚の弾性（はり）の状態変化に応じた適切な光照射を行うことができる。
【発明を実施するための最良の形態】
【０００９】
以下、本発明を添付図面に示す実施形態に基いて説明すると、図１は手持ち式の光照射美容器具を示しており、手で持つことができるサイズに形成されているハウジング１の一端側には光源部２と皮膚弾性検知手段である弾性センサ３とが配設され、ハウジング１内には上記光源部２からの光出力を制御する制御部４と、報知部５とが配設されている。
【００１０】
上記光源部２は、光源２０と、その光照射用開口部内に配した光透過性材からなるカバー２１とからなるもので、このカバー２１には、集光や光拡散といったレンズの機能や波長カットの機能をもたせたものを用いることができる。上記光源２０としてはどのようなものを用いるものであってもよいが、ここでは低出力の非コヒーレント光を出力するものを用いている。
【００１１】
また、上記弾性センサ３は、上記光照射用開口部の周縁に配置されて光照射用開口部を皮膚に接触させた時に同時に皮膚に接触して皮膚の弾性を検出するもので、どのようなものであってもよいが、ここでは図２に示すように、超音波振動する超音波振動子３１をシリコン球３２を介して皮膚に接触させた時の皮膚の弾力性に基づいた固有周波数を振動検出素子３３で検知して信号増幅及び周波数検知を行うことで周波数変化を計測し、この振動周波数の変化から皮膚の弾性（粘弾性）を演算部（図示せず）で算出するものを用いている。この場合、皮膚の弾性測定と同時に皮膚に対して超音波振動による振動刺激を与えることができるために、血行促進や老廃物排出を促すことができる。
【００１２】
弾性センサ３としては、図３に示すように、回動自在に支持されているとともにハンマー３５と均衡錘３６とが配されているアーム３４を設けて、上記ハンマー３５で皮膚表面を叩いた時のアーム３４（ハンマー３５）の動きを光学的に検知することで皮膚弾性を求めるものであってもよい。ちなみに図４(a)は弾性のある皮膚を叩いた時のハンマー３５の動きを、図４(b)は弾性が低くて硬い皮膚を叩いた時のハンマー３５の動きを示している。
【００１３】
光を照射したい部分の皮膚に光照射用開口部を押し当ててスイッチを投入すれば、まず弾性センサ３による皮膚弾性検知動作が行われるとともに、この検知動作に先立って報知部５を作動させることで、皮膚弾性検知動作が行われることを報知する。そして、皮膚弾性検知動作が終了すれば、得られた皮膚弾性データに基づいた光照射強度の光照射が行われる。この時、測定された皮膚弾性が標準的皮膚状態よりも劣っている場合は、例えば光源部２からの光照射強度を通常の１．５倍とし、十分な弾性がある場合は光照射強度を低下させる。
【００１４】
皮膚弾性検知動作は、光照射中にも所定時間間隔で行うことで皮膚の弾性変化を見て、その結果に応じて光照射強度を調整するようにしてもよい。
【００１５】
また、皮膚弾性検知の間隔を少なくとも１秒以下もしくは常時検出するものとし、検出される固有周波数の変化がほぼゼロとなった時には、光照射用開口部が皮膚から離れたとして光照射出力を停止させるようにしてもよい。光照射用開口部が皮膚から離れた場合、光が漏れ出ることになるとともに、この光で目を痛めることがあるが、この時には光照射が停止されるために、安全性が増すものであり、また、別途安全装置のセンサを追加しなくても誤照射の危険を防ぐことができる。
【００１６】
皮膚と接触することになる部分は弾性センサ３の部分を除いて皮膚の凹凸形状（曲面を含む）に追従する弾性素材、例えばウレタンスポンジで形成しておくと、更に光が漏れ出ることを防ぐことができる。
【図面の簡単な説明】
【００１７】
【図１】本発明の実施の形態の一例の概略断面図である。
【図２】同上の弾性センサを示す断面図である。
【図３】同上の弾性センサの他例を示す断面図である。
【図４】(a)(b)は同上の弾性センサにおけるハンマの位置検知出力例を示す説明図である。
【符号の説明】
【００１８】
２  光源部
３  弾性センサ
４  制御部
５  報知部
【図１】
2009028269.tif 000003
【図２】
2009028269.tif 000004
【図３】
2009028269.tif 000005
【図４】
2009028269.tif 000006